(57)【要約】【課題】工具の剛性を確保しつつ切屑排出性が高められる回転工具を提供する。【解決手段】中心軸Ｏに沿って延び、工具回転方向Ｔに回転させられる回転工具１０であって、切刃１１を有する刃部１と、刃部１よりも軸方向の後端側に配置され、刃部１の外径よりも大きな外径とされたシャンク部と、軸方向において刃部１とシャンク部との間に配置され、軸方向の後端側へ向かうに従い外径が大きくなる外径遷移部３と、少なくとも刃部１および外径遷移部３に配置され、軸方向に延びる切屑排出溝４と、を備え、切刃１１は、刃部１、外径遷移部３およびシャンク部のうち、刃部１にのみ形成され、外径遷移部３の心厚ＷＴ２の最小値が、刃部１の心厚ＷＴ１の最大値よりも小さく、切屑排出溝４は、刃部１に位置する刃溝部４ａと、刃溝部４ａと繋がり外径遷移部３に位置する遷移溝部４ｂと、を有し、遷移溝部４ｂの周方向の幅が、刃溝部４ａの周方向の幅よりも大きい。【選択図】図６
2020121372.tif 000002
【特許請求の範囲】
【請求項１】
中心軸に沿って延び、前記中心軸回りの周方向のうち工具回転方向に回転させられる回転工具であって、
切刃を有する刃部と、
前記刃部よりも軸方向の後端側に配置され、前記刃部の外径よりも大きな外径とされたシャンク部と、
軸方向において前記刃部と前記シャンク部との間に配置され、軸方向の後端側へ向かうに従い外径が大きくなる外径遷移部と、
少なくとも前記刃部および前記外径遷移部に配置され、軸方向に延びる切屑排出溝と、を備え、
前記切刃は、前記刃部、前記外径遷移部および前記シャンク部のうち、前記刃部にのみ形成され、
前記外径遷移部の心厚の最小値が、前記刃部の心厚の最大値よりも小さく、
前記切屑排出溝は、
前記刃部に位置する刃溝部と、
前記刃溝部と繋がり前記外径遷移部に位置する遷移溝部と、を有し、
前記遷移溝部の周方向の幅が、前記刃溝部の周方向の幅よりも大きい、
回転工具。
【請求項２】
前記刃部の心厚が、軸方向の先端部から後端側へ向かうに従い小さくなる、
請求項１に記載の回転工具。
【請求項３】
前記切屑排出溝が前記シャンク部にも配置され、
前記切屑排出溝は、前記刃溝部および前記遷移溝部と繋がり前記シャンク部に位置するシャンク溝部を有する、
請求項１または２に記載の回転工具。
【請求項４】
前記遷移溝部の軸方向の長さと前記シャンク溝部の軸方向の長さとの和が、前記刃部の外径以上である、
請求項３に記載の回転工具。
【請求項５】
前記外径遷移部の心厚が最小となる軸方向位置における前記外径遷移部の前記中心軸に垂直な断面の面積が、前記刃部の心厚が最大となる軸方向位置における前記刃部の前記中心軸に垂直な断面の面積よりも大きい、
請求項１から４のいずれか１項に記載の回転工具。
【請求項６】
前記刃溝部の溝底の形状と前記遷移溝部の溝底の形状とが、互いに異なる、
請求項１から５のいずれか１項に記載の回転工具。
【発明の詳細な説明】
【技術分野】
【０００１】
本発明は、回転工具に関する。
【背景技術】
【０００２】
従来、ドリル、エンドミル、リーマ等の回転工具が知られている。特許文献１に記載のドリルは、先端切刃および外周切刃が形成されるドリル本体と、ドリル本体の外径よりも大きな外径のシャンクと、ドリル本体とシャンクとの間に配置される遷移部と、を備える。ドリル本体にはねじれ溝が形成され、シャンクには前記ねじれ溝に連続する他のねじれ溝が形成され、他のねじれ溝の底部がねじれ溝と同形同大とされる。
【先行技術文献】
【特許文献】
【０００３】
【特許文献１】特開２００６−３４６８３２号公報
【発明の概要】
【発明が解決しようとする課題】
【０００４】
従来の回転工具では、工具の剛性を確保しつつ切屑排出性を高める点において改善の余地があった。
【０００５】
本発明は、上記事情に鑑み、工具の剛性を確保しつつ切屑排出性が高められる回転工具を提供することを目的の一つとする。
【課題を解決するための手段】
【０００６】
本発明の一つの態様は、中心軸に沿って延び、前記中心軸回りの周方向のうち工具回転方向に回転させられる回転工具であって、切刃を有する刃部と、前記刃部よりも軸方向の後端側に配置され、前記刃部の外径よりも大きな外径とされたシャンク部と、軸方向において前記刃部と前記シャンク部との間に配置され、軸方向の後端側へ向かうに従い外径が大きくなる外径遷移部と、少なくとも前記刃部および前記外径遷移部に配置され、軸方向に延びる切屑排出溝と、を備え、前記切刃は、前記刃部、前記外径遷移部および前記シャンク部のうち、前記刃部にのみ形成され、前記外径遷移部の心厚の最小値が、前記刃部の心厚の最大値よりも小さく、前記切屑排出溝は、前記刃部に位置する刃溝部と、前記刃溝部と繋がり前記外径遷移部に位置する遷移溝部と、を有し、前記遷移溝部の周方向の幅が、前記刃溝部の周方向の幅よりも大きい。
【０００７】
本発明の回転工具は、切刃が刃部にのみ形成されており、例えば外径遷移部に面取り刃（切刃）が形成された段付きドリル等とは異なる。
本発明の回転工具は、切屑排出溝が、少なくとも刃部および外径遷移部にわたって延びており、外径遷移部の心厚の最小値が、刃部の心厚の最大値よりも小さい。つまり、切屑排出溝のうち、刃部に位置する刃溝部の溝底の径方向位置に比べて、外径遷移部に位置する遷移溝部の溝底の径方向位置が、径方向内側であり、遷移溝部の溝深さが深い。このため、切削加工時に生じた切屑が、切屑排出溝内を軸方向の後端側へ向けて安定して流れ、切屑排出性が高められる。
【０００８】
また切屑排出溝のうち、刃溝部の周方向の幅（溝幅）よりも、遷移溝部の周方向の幅が大きい。このため、切屑排出溝内を軸方向の後端側へ向かう切屑の流れがより安定し、切屑排出性が向上する。
外径遷移部の外径は刃部の外径よりも大きいため、上述のように、外径遷移部の心厚が刃部の心厚より小さくても、また遷移溝部の周方向の幅が刃溝部の周方向の幅より大きくても、外径遷移部の剛性は確保される。
したがって本発明によれば、工具の剛性を確保しつつ切屑排出性が高められる。
【０００９】
上記回転工具において、前記刃部の心厚が、軸方向の先端部から後端側へ向かうに従い小さくなることが好ましい。
【００１０】
この場合、刃溝部の溝底が、軸方向の先端部から後端側へ向かうに従い径方向内側に位置する。つまり、刃溝部の溝深さが、軸方向後端側へ向かうに従い深くなる。このため、刃溝部内を軸方向後端側へ向かう切屑の流れが良好に維持され、切屑排出性がより高められる。
【００１１】
上記回転工具において、前記切屑排出溝が前記シャンク部にも配置され、前記切屑排出溝は、前記刃溝部および前記遷移溝部と繋がり前記シャンク部に位置するシャンク溝部を有することが好ましい。
【００１２】
この場合、シャンク溝部内まで切屑を流すことができ、切屑排出性がより高められる。
【００１３】
上記回転工具において、前記遷移溝部の軸方向の長さと前記シャンク溝部の軸方向の長さとの和が、前記刃部の外径以上であることが好ましい。
【００１４】
この場合、遷移溝部およびシャンク溝部の軸方向長さを大きく確保でき、切屑排出性がより安定して高められる。
【００１５】
上記回転工具において、前記外径遷移部の心厚が最小となる軸方向位置における前記外径遷移部の前記中心軸に垂直な断面の面積が、前記刃部の心厚が最大となる軸方向位置における前記刃部の前記中心軸に垂直な断面の面積よりも大きいことが好ましい。
【００１６】
この場合、外径遷移部の剛性を安定して確保できる。
【００１７】
上記回転工具において、前記刃溝部の溝底の形状と前記遷移溝部の溝底の形状とが、互いに異なることが好ましい。
【００１８】
この場合、切屑の性状や排出量等に応じて、刃溝部の溝底の形状と遷移溝部の溝底の形状とを個別に設定でき、切削用途等に応じた切屑排出溝の形状の自由度が増す。
【発明の効果】
【００１９】
本発明の一つの態様の回転工具によれば、工具の剛性を確保しつつ切屑排出性が高められる。
【図面の簡単な説明】
【００２０】
【図１】本発明の一実施形態の回転工具を示す斜視図である。
【図２】本発明の一実施形態の回転工具を示す側面図である。
【図３】本発明の一実施形態の回転工具を示す正面図である。
【図４】図２のIV-IV断面を示す断面図である。
【図５】図２のV-V断面を示す断面図である。
【図６】図４および図５の各断面図を重ねて示す図である。
【図７】図２の回転工具の心厚を可視化して説明する図である。
【発明を実施するための形態】
【００２１】
以下、本発明の一実施形態の回転工具１０について、図面を参照して説明する。
本実施形態の回転工具１０は、ドリルである。
【００２２】
図１〜図３に示すように、本実施形態の回転工具１０は、中心軸Ｏを有する略円柱状である。回転工具１０は、中心軸Ｏに沿って延びる。回転工具１０は、切刃１１を有する刃部１と、刃部１の外径よりも大きな外径とされたシャンク部２と、刃部１とシャンク部２との間に配置される外径遷移部３と、少なくとも刃部１および外径遷移部３に配置される切屑排出溝４と、を備える。
シャンク部２は、例えば工作機械の主軸やボール盤のチャック等（以下、工作機械の主軸等と省略）に着脱可能に取り付けられる。
【００２３】
〔方向の定義〕
本実施形態では、回転工具１０の中心軸Ｏが延びる方向（中心軸Ｏに沿う方向）を、軸方向と呼ぶ。軸方向において、刃部１とシャンク部２とは互いに異なる位置に配置される。軸方向のうち、シャンク部２から刃部１へ向かう方向を先端側と呼び、刃部１からシャンク部２へ向かう方向を後端側と呼ぶ。
中心軸Ｏに直交する方向を径方向と呼ぶ。径方向のうち、中心軸Ｏに近づく方向を径方向内側と呼び、中心軸Ｏから離れる方向を径方向外側と呼ぶ。
中心軸Ｏ回りに周回する方向を周方向と呼ぶ。周方向のうち、切削加工時に工作機械の主軸等により回転工具１０が回転させられる向きを工具回転方向Ｔと呼び、これとは反対の回転方向を、工具回転方向Ｔとは反対方向（反工具回転方向）と呼ぶ。
本実施形態の回転工具１０は、工具回転方向Ｔに回転させられ、軸方向の先端側へ送られることにより、被削材に切削加工（穴あけ加工）を施す。
【００２４】
〔切屑排出溝〕
切屑排出溝４は、回転工具１０の外周面から径方向内側に窪み、軸方向に延びる。本実施形態では切屑排出溝４が、軸方向の先端から後端側へ向かうに従い工具回転方向Ｔとは反対方向へ向けて、螺旋状に延びる。
【００２５】
切屑排出溝４は、回転工具１０に少なくとも１つ設けられる。本実施形態では、回転工具１０がツイストドリルであり、切屑排出溝４が２つ設けられる。なお切屑排出溝４は、回転工具１０に３つ以上設けられてもよい。複数の切屑排出溝４は、周方向に互いに間隔をあけて配置される。本実施形態では複数の切屑排出溝４が、中心軸Ｏに関して回転対称位置となるように、回転工具１０の外周において周方向に等間隔をあけて（等ピッチで）配置されている。なお、複数の切屑排出溝４は、回転工具１０の外周において周方向に不等間隔をあけて（不等ピッチで）配置されてもよい。
【００２６】
本実施形態では切屑排出溝４が、刃部１、外径遷移部３およびシャンク部２に配置される。切屑排出溝４は、回転工具１０の軸方向の先端から後端側へ向かって、刃部１の軸方向の全域、外径遷移部３の軸方向の全域、およびシャンク部２の軸方向の先端側の部分にわたって延びる。
【００２７】
切屑排出溝４は、刃溝部４ａと、遷移溝部４ｂと、シャンク溝部４ｃと、を有する。刃溝部４ａ、遷移溝部４ｂおよびシャンク溝部４ｃは、軸方向の先端から後端側へ向けて、この順に並ぶ。刃溝部４ａ、遷移溝部４ｂおよびシャンク溝部４ｃは、互いに繋がり連通している。刃溝部４ａと遷移溝部４ｂとは、互いの接続部分に段差が形成されることなく、滑らかに接続する。遷移溝部４ｂとシャンク溝部４ｃとは、互いの接続部分に段差が形成されることなく、滑らかに接続する。
【００２８】
刃溝部４ａは、切屑排出溝４のうち刃部１に位置する部分である。刃溝部４ａは、回転工具１０の軸方向の先端側を向く端面（先端面）に開口する。図４に示すように、刃溝部４ａは、刃部１の外周面から径方向内側に向けて窪む凹曲面状である。図４に示す刃部１の中心軸Ｏに垂直な断面視で、刃溝部４ａの溝底は、凹曲線状である。図４において刃溝部４ａの溝底は、例えば、曲率半径が互いに異なる複数の凹曲線同士を繋げることにより構成される。
【００２９】
遷移溝部４ｂは、切屑排出溝４のうち外径遷移部３に位置する部分である。遷移溝部４ｂの軸方向先端側の部分（先端部）は、刃溝部４ａの軸方向後端側の部分（後端部）に接続する。図５に示すように、遷移溝部４ｂは、外径遷移部３の外周面から径方向内側に向けて窪む凹曲面状である。図５に示す外径遷移部３の中心軸Ｏに垂直な断面視で、遷移溝部４ｂの溝底は、凹曲線状である。図５において遷移溝部４ｂの溝底は、例えば、曲率半径が互いに異なる複数の凹曲線同士を繋げることにより構成される。
【００３０】
図６は、図４に示す刃部１の断面（中心軸Ｏに垂直な横断面）と、図５に示す外径遷移部３の断面（横断面）とを、重ねて示す図である。図６に示すように、遷移溝部４ｂの周方向の幅（溝幅）は、刃溝部４ａの周方向の幅よりも大きい。遷移溝部４ｂの径方向の長さ（溝深さ）は、刃溝部４ａの径方向の長さよりも大きい。遷移溝部４ｂにおいて最も径方向内側に位置する最内端部は、刃溝部４ａにおいて最も径方向内側に位置する最内端部よりも、径方向内側に配置される。
本実施形態では、刃溝部４ａの溝底の形状と、遷移溝部４ｂの溝底の形状とが、互いに異なる。
【００３１】
図１および図２に示すように、シャンク溝部４ｃは、切屑排出溝４のうちシャンク部２に位置する部分である。シャンク溝部４ｃの先端部は、遷移溝部４ｂの後端部に接続する。本実施形態ではシャンク溝部４ｃが、シャンク部２の先端部にのみ配置される。シャンク溝部４ｃは、シャンク部２の外周面から径方向内側に向けて窪む凹曲面状である。シャンク溝部４ｃの溝深さは、軸方向の後端側へ向かうに従い小さくなる。シャンク溝部４ｃの周方向の溝幅は、軸方向の後端側へ向かうに従い小さくなる。
【００３２】
遷移溝部４ｂの軸方向の長さとシャンク溝部４ｃの軸方向の長さとの和は、刃部１の外径以上である。すなわち、遷移溝部４ｂの軸方向の長さとシャンク溝部４ｃの軸方向の長さとの和は、刃径の１倍以上である。本実施形態では、遷移溝部４ｂの軸方向の長さとシャンク溝部４ｃの軸方向の長さとの和が、刃部１の外径の２倍以上である。また、遷移溝部４ｂの軸方向の長さが、刃部１の外径以上である。
【００３３】
〔刃部〕
図１〜図３に示すように、刃部１は、少なくとも１つの切刃１１を有する。本実施形態では、回転工具１０がツイストドリルであり、刃部１が２つの切刃１１を有する。なお刃部１は、３つ以上の切刃１１を有していてもよい。
切刃１１は、刃部１、外径遷移部３およびシャンク部２のうち、刃部１にのみ形成される。
【００３４】
切刃１１は、先端刃１１ａと、外周刃１１ｂと、を有する。
先端刃１１ａは、刃溝部４ａの工具回転方向Ｔを向く壁面のうち先端部と、刃部１の先端面と、の交差稜線に形成される。先端刃１１ａは、径方向外側へ向かうに従い軸方向の後端側へ向けて傾斜して延びる。
【００３５】
外周刃１１ｂは、刃溝部４ａの工具回転方向Ｔを向く壁面のうち外周部と、刃部１の外周面と、の交差稜線に形成される。外周刃１１ｂの軸方向先端は、先端刃１１ａの径方向外端に接続する。外周刃１１ｂは、先端刃１１ａとの接続部分から軸方向の後端側へ向かうに従い、工具回転方向Ｔとは反対方向へ向けて、螺旋状に延びる。
【００３６】
刃部１は、ランド部５を有する。ランド部５は、刃部１の外周のうち、周方向に隣り合う刃溝部４ａ（切屑排出溝４）同士の間に配置される。本実施形態では、回転工具１０がツイストドリルであり、刃部１が２つのランド部５を有する。なおランド部５の数は、１つまたは３つ以上でもよい。
【００３７】
図３および図４に示すように、ランド部５は、第１マージン部５ａと、第２マージン部５ｂと、二番取り面５ｃと、を有する。すなわち、本実施形態では回転工具１０がダブルマージンタイプのドリルであり、ランド部５が２つのマージン部５ａ，５ｂを有する。なおランド部５は、１つまたは３つ以上のマージン部を有していてもよい。
【００３８】
第１マージン部５ａは、外周刃１１ｂの工具回転方向Ｔとは反対方向に隣り合って配置され、外周刃１１ｂに周方向から接続する。第１マージン部５ａは、外周刃１１ｂに沿って延びる。第１マージン部５ａは、軸方向の後端側へ向かうに従い工具回転方向Ｔとは反対方向へ向けて、螺旋状に延びる。第１マージン部５ａは、中心軸Ｏを中心に外周刃１１ｂを回転させて得られる円筒状の回転軌跡上に配置される。
【００３９】
第２マージン部５ｂは、第１マージン部５ａよりも工具回転方向Ｔとは反対方向に、第１マージン部５ａとの間に周方向に間隔をあけて配置される。第２マージン部５ｂは、刃溝部４ａに沿って延びる。第２マージン部５ｂは、軸方向の後端側へ向かうに従い工具回転方向Ｔとは反対方向へ向けて、螺旋状に延びる。第２マージン部５ｂは、中心軸Ｏを中心に外周刃１１ｂを回転させて得られる円筒状の回転軌跡上に配置される。
【００４０】
二番取り面５ｃは、周方向において第１マージン部５ａと第２マージン部５ｂとの間に配置される。二番取り面５ｃは、第１マージン部５ａおよび第２マージン部５ｂよりも径方向内側に窪んで形成される。
【００４１】
図７は、回転工具１０の心厚（ウェブの心厚）を可視化して説明する図である。図７に示すように、刃部１の心厚ＷＴ１は、軸方向の先端部から後端側へ向かうに従い小さくなる。言い換えると、刃部１の刃溝部４ａの溝深さは、軸方向の先端部から後端側へ向かうに従い深くなる。
【００４２】
〔外径遷移部〕
図１および図２に示すように、外径遷移部３は、軸方向において刃部１とシャンク部２との間に配置され、軸方向の後端側へ向かうに従い外径が大きくなる。本実施形態では、外径遷移部３（の外周面）は、軸方向の単位長さあたりの径方向へ向けた変位量（つまり中心軸Ｏに対する傾き）が、外径遷移部３の軸方向の全長にわたって略一定である。すなわち、特に図示しないが、中心軸Ｏを含む回転工具１０の縦断面視において、外径遷移部３の外周面は、中心軸Ｏに対して傾斜して延びる直線状である。ただしこれに限らず、例えば外径遷移部３は、軸方向の単位長さあたりの径方向へ向けた変位量が、外径遷移部３の軸方向の先端から後端側へ向かうに従い徐々に大きくなってもよい。この場合、回転工具１０の縦断面視において、外径遷移部３の外周面は、凹曲線状である。
外径遷移部３の外径は、刃部１の外径よりも大きい。外径遷移部３の軸方向の長さは、刃部１の軸方向の長さよりも小さい。
【００４３】
図２および図７に示すように、外径遷移部３の心厚ＷＴ２は、外径遷移部３における刃部１との接続部分から、軸方向後端側へ向かうに従い小さくなる。また、外径遷移部３の心厚ＷＴ２は、外径遷移部３におけるシャンク部２との接続部分から、軸方向先端側へ向かうに従い小さくなる。このため、外径遷移部３の心厚ＷＴ２は、外径遷移部３のうち軸方向の両端部間に位置する中間部分において、最小値となる。
【００４４】
ここで、図４は、刃部１の心厚ＷＴ１が最大値となる刃部１の軸方向の先端部付近の横断面を示しており、図５は、外径遷移部３の心厚ＷＴ２が最小値となる外径遷移部３の軸方向の中間部分の横断面を示している。図４および図５の各横断面を重ねて示す図６において、外径遷移部３の心厚ＷＴ２の最小値は、刃部１の心厚ＷＴ１の最大値よりも小さい。また、外径遷移部３の心厚ＷＴ２が最小となる軸方向位置における外径遷移部３の中心軸Ｏに垂直な断面の面積（第１の断面積）は、刃部１の心厚ＷＴ１が最大となる軸方向位置における刃部１の中心軸Ｏに垂直な断面の面積（第２の断面積）よりも大きい。
【００４５】
〔シャンク部〕
図１〜図３に示すように、シャンク部２は、刃部１よりも軸方向の後端側に配置される。本実施形態ではシャンク部２の外径が、刃部１の外径の略２倍である。シャンク部２の軸方向の長さは、刃部１の軸方向の長さよりも大きい。本実施形態ではシャンク部２の軸方向の長さが、刃部１の軸方向の長さと外径遷移部３の軸方向の長さとの和よりも大きい。
【００４６】
〔本実施形態による作用効果〕
以上説明した本実施形態の回転工具１０は、切刃１１が刃部１にのみ形成されており、例えば外径遷移部に面取り刃（切刃）が形成された段付きドリル等とは異なる。
本実施形態の回転工具１０は、切屑排出溝４が、少なくとも刃部１および外径遷移部３にわたって延びており、外径遷移部３の心厚ＷＴ２の最小値が、刃部１の心厚ＷＴ１の最大値よりも小さい。つまり、切屑排出溝４のうち、刃部１に位置する刃溝部４ａの溝底の径方向位置に比べて、外径遷移部３に位置する遷移溝部４ｂの溝底の径方向位置が、径方向内側であり、遷移溝部４ｂの溝深さが深い。このため、切削加工時に生じた切屑が、切屑排出溝４内を軸方向の後端側へ向けて安定して流れ、切屑排出性が高められる。
【００４７】
また切屑排出溝４のうち、刃溝部４ａの周方向の幅（溝幅）よりも、遷移溝部４ｂの周方向の幅が大きい。このため、切屑排出溝４内を軸方向の後端側へ向かう切屑の流れがより安定し、切屑排出性が向上する。
外径遷移部３の外径は刃部１の外径よりも大きいため、上述のように、外径遷移部３の心厚ＷＴ２が刃部１の心厚ＷＴ１より小さくても、また遷移溝部４ｂの周方向の幅が刃溝部４ａの周方向の幅より大きくても、外径遷移部３の剛性は確保される。
したがって本実施形態によれば、工具の剛性を確保しつつ切屑排出性が高められる。
【００４８】
また本実施形態では、刃部１の心厚ＷＴ１が、軸方向の先端部から後端側へ向かうに従い小さくなる。
この場合、刃溝部４ａの溝底が、軸方向の先端部から後端側へ向かうに従い径方向内側に位置する。つまり、刃溝部４ａの溝深さが、軸方向後端側へ向かうに従い深くなる。このため、刃溝部４ａ内を軸方向後端側へ向かう切屑の流れが良好に維持され、切屑排出性がより高められる。
【００４９】
また本実施形態では、切屑排出溝４が、刃溝部４ａおよび遷移溝部４ｂと繋がりシャンク部２に位置するシャンク溝部４ｃを有する。
この場合、シャンク溝部４ｃ内まで切屑を流すことができ、切屑排出性がより高められる。
【００５０】
また本実施形態では、遷移溝部４ｂの軸方向の長さとシャンク溝部４ｃの軸方向の長さとの和が、刃部１の外径（刃径）以上である。
この場合、遷移溝部４ｂおよびシャンク溝部４ｃの軸方向長さを大きく確保でき、切屑排出性がより安定して高められる。
【００５１】
また本実施形態では、外径遷移部３の心厚ＷＴ２が最小となる軸方向位置における外径遷移部３の中心軸Ｏに垂直な断面の面積（第１の断面積）が、刃部１の心厚ＷＴ１が最大となる軸方向位置における刃部１の中心軸Ｏに垂直な断面の面積（第２の断面積）よりも大きい。
この場合、外径遷移部３の剛性を安定して確保できる。
【００５２】
また本実施形態では、刃溝部４ａの溝底の形状と遷移溝部４ｂの溝底の形状とが、互いに異なる。
この場合、切屑の性状や排出量等に応じて、刃溝部４ａの溝底の形状と遷移溝部４ｂの溝底の形状とを個別に設定でき、切削用途等に応じた切屑排出溝４の形状の自由度が増す。
【００５３】
〔本発明に含まれるその他の構成〕
なお、本発明は前述の実施形態に限定されず、例えば下記に説明するように、本発明の趣旨を逸脱しない範囲において構成の変更等が可能である。
【００５４】
前述の実施形態では、回転工具１０が、２枚刃のツイストドリルであるが、これに限定されない。回転工具１０は、１枚刃または３枚刃以上のドリルでもよい。
また回転工具１０は、ドリルに限らない。回転工具１０は、例えばエンドミルやリーマ等の回転工具（転削工具）でもよい。
【００５５】
また、前述の実施形態では、切屑排出溝４がねじれ溝である例を挙げたが、これに限らない。切屑排出溝４は、例えば中心軸Ｏと平行に延びる直溝でもよい。
【００５６】
また回転工具１０が、図示しないクーラント孔を備えていてもよい。クーラント孔は、回転工具１０の内部を軸方向に延びる。クーラント孔は、例えば、回転工具１０の内部を切屑排出溝４に沿って延びる。クーラント孔は、刃溝部４ａ内または刃部１の先端面に開口する。クーラント孔内には、工作機械の主軸等を通して、油性または水溶性の切削液剤、圧縮エア等のクーラントが供給される。クーラントは、クーラント孔を通して、刃部１および被削材の加工部位等に流出する。
【００５７】
その他、本発明の趣旨から逸脱しない範囲において、前述の実施形態、変形例およびなお書き等で説明した各構成（構成要素）を組み合わせてもよく、また、構成の付加、省略、置換、その他の変更が可能である。また本発明は、前述した実施形態によって限定されず、特許請求の範囲によってのみ限定される。
【産業上の利用可能性】
【００５８】
本発明の回転工具によれば、工具の剛性を確保しつつ切屑排出性が高められる。したがって、産業上の利用可能性を有する。
【符号の説明】
【００５９】
１…刃部
２…シャンク部
３…外径遷移部
４…切屑排出溝
４ａ…刃溝部
４ｂ…遷移溝部
４ｃ…シャンク溝部
１０…回転工具
１１…切刃
Ｏ…中心軸
Ｔ…工具回転方向
ＷＴ１…刃部の心厚
ＷＴ２…外径遷移部の心厚
【図１】
2020121372.tif 000003
【図２】
2020121372.tif 000004
【図３】
2020121372.tif 000005
【図４】
2020121372.tif 000006
【図５】
2020121372.tif 000007
【図６】
2020121372.tif 000008
【図７】
2020121372.tif 000009